(57)【要約】      （修正有）【課題】コネクタプラグの抜去前あるいは挿入後の複数人での確認を容易化し、誤作業を防止できるコネクタプラグを提供することを目的とする。【解決手段】本発明に係るコネクタプラグ３Ａは、作業時に摘むための把持部７に変色部材８を装着する。変色部材８は、作業者がコネクタプラグ３Ａを摘むときの指先の熱、または、作業者がコネクタプラグ３Ａを摘むときの圧力によって色が変化する。作業者の一人がコネクタプラグ３Ａを摘むことで変色部材８を変色させる。他の作業者が変色した変色部材８を見て、当該コネクタプラグが作業対象のものであったかを確認することができる。【選択図】図３
2020067568.tif 000002
【特許請求の範囲】
【請求項１】
ハウジングに形成された把持部と、
前記把持部に配置され、圧力変化で色が変化する変色部材と、
を備えるコネクタプラグ。
【請求項２】
ハウジングに形成された把持部と、
前記把持部に配置され、温度変化で色が変化する変色部材と、
を備えるコネクタプラグ。
【請求項３】
前記変色部材は、色が変化した後、時間経過により変化前の色に戻ることを特徴とする請求項１又は２に記載のコネクタプラグ。
【請求項４】
請求項１から３のいずれかに記載のコネクタプラグを配列された複数のコネクタ用アダプタのうちの一つに挿入するコネクタ挿入方法であって、
作業者が前記コネクタプラグの前記把持部を持ち、前記変色部材の色を変化させるとともに、前記コネクタプラグを所望の前記コネクタ用アダプタに挿入する挿入工程と、
色が変化している前記変色部材の前記コネクタプラグが挿入されている前記コネクタ用アダプタの位置を確認する確認工程と、
を行うことを特徴とするコネクタ挿入方法。
【請求項５】
請求項１から３のいずれかに記載のコネクタプラグを配列された複数のコネクタ用アダプタのうちの一つから抜去するコネクタ抜去方法であって、
作業者が前記コネクタプラグの前記把持部を持ち、前記変色部材の色を変化させる色変化工程と、
色が変化している前記変色部材の前記コネクタプラグが挿入されている前記コネクタ用アダプタの位置を確認する確認工程と、
色が変化している前記変色部材の前記コネクタプラグを前記コネクタ用アダプタから抜去する抜去工程と、
を行うことを特徴とするコネクタ抜去方法。
【発明の詳細な説明】
【技術分野】
【０００１】
本開示は、パッチパネルや通信架等のように高密度に集約しているコネクタ用アダプタに差し込むためのコネクタプラグに関する。
【背景技術】
【０００２】
現在、様々な箇所で光配線は導入されており、その配線において光コネクタは必要不可欠である。光配線を集中的に切り替える場所では、図１のように、パッチパネルや通信架１が設置されており、高密度に光コネクタ用アダプタ２が並べられている。作業者は、この高密度に配列された光コネクタ用アダプタ２から目的の箇所を選び、光コネクタプラグ３を差し込む必要がある。また、接続された光コネクタプラグ３を抜去する場合、差し込まれている光コネクタプラグから抜去する対象の光コネクタプラグを選び出し、正確に対象の光コネクタプラグを抜去する必要がある。
【０００３】
代表的な光コネクタプラグ３としてＳＣコネクタプラグ３Ａを図２に示す。ＳＣコネクタプラグ３Ａは、光ファイバを固定するフェルール４、着脱機能を持たせるためのハウジング５、および、光ファイバを保護するための光ファイバコード６から構成される。パッチパネルに対してＳＣコネクタプラグ３Ａを挿抜する場合、作業者は把持部７を摘み、作業を実施する。
【０００４】
近年情報量の増加に伴い、ビル内での光配線が増加しているが、その中で、光ファイバケーブル心線管理配線盤や、パッチパネル等では、多数の光コネクタ接続部が存在する。そのような箇所では、光コネクタプラグの誤抜去をなくすため、様々な工夫がされている。例えば、特許文献１では、光コネクタプラグにバーコードを付与することにより、装置で対象の光コネクタプラグの情報を読み取り、管理データと対照することにより、誤抜去を防止している。また、特許文献２の発明によれば、光パッチパネルにおいて、光コネクタ用アダプタの下部に板状の冶具を取り付け、当該治具に光コネクタプラグの情報を付与することにより、光コネクタプラグの識別を視覚化している。このように、様々な手法によって、当該コネクタプラグの判別を分かり易くする方法が示されている。
【先行技術文献】
【特許文献】
【０００５】
【特許文献１】特開２００５−３０３８０９号公報
【特許文献２】特開２０１３−０３７１７３号公報
【発明の概要】
【発明が解決しようとする課題】
【０００６】
このようなコネクタ用アダプタが多数配列するようなパネルにおいてコネクタプラグの挿抜作業を行う場合、誤作業を防止するためには複数人で作業することが効果的である。特許文献１や２の場合、抜去前に所望のコネクタプラグを選択しているかどうか、挿入後に所望のコネクタ用アダプタにコネクタプラグが挿入されているかどうかを複数人で確認することが困難という課題がある。
そこで、本発明は、上記課題を解決するために、コネクタプラグの抜去前あるいは挿入後の複数人での確認を容易化し、誤作業を防止できるコネクタプラグを提供することを目的とする。
【課題を解決するための手段】
【０００７】
上記目的を達成するために、本発明に係るコネクタプラグは、挿抜する際に摘む部分（把持部）に、圧力または熱が印加されることによって変色する部材を配置することとした。
【０００８】
具体的には、本発明に係るコネクタプラグは、ハウジングに形成された把持部と、前記把持部に配置され、圧力変化で色が変化する変色部材と、を備える。
【０００９】
また、本発明に係るコネクタプラグは、ハウジングに形成された把持部と、前記把持部に配置され、温度変化で色が変化する変色部材と、を備える。
【００１０】
本発明に係るコネクタプラグの前記変色部材は、色が変化した後、時間経過により変化前の色に戻ることが好ましい。
【００１１】
コネクタプラグをパッチパネルから抜去する際、作業者の一方が当該コネクタプラグの把持部に触れて変色部材の色を変化させることで、作業者の他方は抜去しようとしているコネクタプラグが正しいか否かを確認できる。また、作業者の一方がコネクタプラグをパッチパネルに挿入すると、当該コネクタプラグの把持部の変色部材の色が変化しているので、作業者の他方はコネクタプラグがパッチパネルの正しい位置に挿入したか否かを確認できる。
【００１２】
従って、本発明は、コネクタプラグの抜去前あるいは挿入後の複数人での確認を容易化し、誤作業を防止できるコネクタプラグを提供することができる。
【発明の効果】
【００１３】
本発明は、コネクタプラグの抜去前あるいは挿入後の複数人での確認を容易化し、誤作業を防止できるコネクタプラグを提供することができる。
【図面の簡単な説明】
【００１４】
【図１】パッチパネル／通信架を説明する図である。
【図２】関連する光コネクタプラグを説明する図である。
【図３】本発明に係る光コネクタプラグを説明する図である。
【図４】本発明に係る光コネクタプラグでの作業方法を説明する図である。
【発明を実施するための形態】
【００１５】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１６】
図３は、本実施形態のコネクタプラグを説明する図である。本実施形態では、例としてＳＣコネクタプラグ３Ａで説明する。
【００１７】
通常ＳＣコネクタプラグ３Ａを挿抜する際、ハウジング５の側面（把持部７）を摘み、作業を実施する。図３に示すように、ＳＣコネクタプラグ３Ａは、作業時に摘むための把持部７に変色部材８を装着する。変色部材８の大きさは、ハウジング５の側面全体でもよいし、作業者が目視できる程度の大きさ（例えば、５ｍｍ×５ｍｍ程度）であってもよい。
【００１８】
変色部材８は、例えばサーモクロミズム現象（「熱」を加えることにより色が変わる）を示す材料を用いることができる。分子例としては、銅−Ｎ，Ｎ−ジエチルエチレンジアミン錯体  ［Ｃｕ（ｄｉｅｔｅｎ）２］（ＣｌＯ４）２などが挙げられる。当該分子は室温では赤紫色をしているが、４３℃以上に熱を加えると濃紫色に変色する。この場合、作業をする前、少し手を温めることによって、この部分を摘むと色が変色するなどの機能を持たせることができる。このようなサーモクロミズム現象を示す変色部材８を実施例１とする。
【００１９】
また、変色部材８は、例えばピエゾクロミズム現象（「圧力」を加えることにより色が変わる）を示す材料を用いることができる。分子例としては、圧力をかけると結合開裂によりラジカル種が発生する分子などが挙げられる。ラジカル種は放置しておくと結合を再生し、元の色に戻る。このため、この部分を摘んで作業した直後にのみ色が変化する機能を持たせることができる。このようなピエゾクロミズム現象を示す変色部材８を実施例２とする。
【００２０】
上記のような変色材料８を、ＳＣコネクタプラグの挿抜作業時に手で摘む部分（把持部７）に装着させる。実施例１では、作業者がＳＣコネクタプラグを摘むときの指先の熱によって変色部材８の色が変化するコネクタプラグを実現することができる。また、実施例２では、作業者がＳＣコネクタプラグを摘むときの圧力によって変色部材８の色が変化するコネクタプラグを実現することができる。
【００２１】
図４は、パッチパネル１においてなされるＳＣコネクタプラグ３Ａの挿抜作業を説明する図である。例えば、１人目の作業者がデータベースを対照し、パッチパネル１の所望の位置のＳＣコネクタ用アダプタ２ＡにＳＣコネクタプラグ３Ａ’を挿入する。そのとき、当該ＳＣコネクタプラグ３Ａ’の変色部材８’が摘まれたことにより変色しているため、２人目の作業者が、正しい位置のＳＣコネクタ用アダプタ２ＡにＳＣコネクタプラグ３Ａ’が挿入されているかどうかを確認することが可能となる。
【００２２】
また、抜去に際にはデータベースを対照し、パッチパネル１の所望の位置のＳＣコネクタ用アダプタ２Ａに挿入されている抜去対象ＳＣコネクタプラグ３Ａ’を選び出す。まず、１人目の作業者が抜去対象ＳＣコネクタプラグ３Ａ’の把持部を摘み、変色部材８’の色を変化させる。そして、２人目の作業者が、１人目の作業者が摘んだことで変色部材８’の色が変化したＳＣコネクタプラグ３Ａ’が抜去対象として正しいか否かを確認する。正しいことが判明したら、そのＳＣコネクタプラグ３Ａ’を１人目もしくは２人目の作業者が抜去する。
【００２３】
このような運用を実施することにより、複数人による対象コネクタプラグの確認が可能となる。本運用により、コネクタプラグの誤挿抜の危険性を低減させることができる。なお、変色部材８’は、時間の経過とともに（例えば、５分から１０分で）色が元に戻るため、運用として問題が起こることはない。
【００２４】
なお、上記実施形態では、光コネクタプラグで説明したが、本発明のコネクタプラグは、光コネクタプラグに限定されるものではなく、例えば、電気コネクタプラグにも適用可能であり、いずれのコネクタプラグにおいても同様の効果が得られる。
また、上記実施形態では、コネクタプラグの挿抜（色変化）工程と対象コネクタプラグの位置の確認工程とを複数の作業者によって行う場合を説明したが、本発明の方法は、これらの工程を単独の作業者によって行う場合にも適用可能であり、いずれの場合においても同様の効果が得られる。
【００２５】
（発明の効果）
本発明のコネクタプラグを用いることにより、複数人による対象コネクタプラグの確認が容易になる。これにより、間違ったコネクタプラグの挿抜の危険性を低減させることが可能となる。
【００２６】
［付記］
以下は、本実施形態のコネクタプラグを説明したものである。
本発明は、高密度にコネクタ用アダプタが配列された光ファイバケーブル心線管理配線盤やパッチパネル等において、コネクタプラグを挿抜する際の誤挿抜を防ぐための技術である。
本発明によれば、実際に挿抜作業を実施する際に、複数の作業者による確認が容易になり、これにより、コネクタプラグを挿抜する際の誤挿抜の危険性を低減することができる。
【００２７】
（１）：
実施形態１は、パッチパネルや、通信架等、コネクタ用アダプタが、高密度に集約している箇所に、差し込むコネクタプラグであって、コネクタプラグを挿抜する際、摘まむ部分に圧力が付加されることによって、色が変る部材を用いたことを特徴とするコネクタプラグである。
（２）：
実施形態２は、パッチパネルや、通信架等、コネクタ用アダプタが、高密度に集約している箇所に、差し込むコネクタプラグであって、コネクタプラグを挿抜する際、摘まむ部分に熱が付加されることによって、色が変る部材を用いたことを特徴とするコネクタプラグである。
（３）：
上記（１）または（２）に記載のコネクタプラグであって、かつ、側面の色が変化する部材が、時間経過により、色が元に戻ることを特徴とするコネクタプラグである。
（４）：
上記（１）から（３）のいずれかに記載のコネクタプラグを配列された複数のコネクタ用アダプタのうちの一つに挿入するコネクタ挿入方法であって、
作業者が前記コネクタプラグの前記把持部を持ち、前記変色部材の色を変化させるとともに、前記コネクタプラグを所望の前記コネクタ用アダプタに挿入する挿入工程と、
色が変化している前記変色部材の前記コネクタプラグが挿入されている前記コネクタ用アダプタの位置を確認する確認工程と、
を行うことを特徴とする。
（５）：
上記（１）から（３）のいずれかに記載のコネクタプラグを配列された複数のコネクタ用アダプタのうちの一つから抜去するコネクタ抜去方法であって、
作業者が前記コネクタプラグの前記把持部を持ち、前記変色部材の色を変化させる色変化工程と、
色が変化している前記変色部材の前記コネクタプラグが挿入されている前記コネクタ用アダプタの位置を確認する確認工程と、
色が変化している前記変色部材の前記コネクタプラグを前記コネクタ用アダプタから抜去する抜去工程と、
を行うことを特徴とする。
【符号の説明】
【００２８】
１  パッチパネル／通信架、
２  光コネクタ用アダプタ、
２Ａ  ＳＣコネクタ用アダプタ、
３  光コネクタプラグ、
３Ａ  ＳＣコネクタプラグ、
３Ａ’  挿抜対象のＳＣコネクタプラグ、
４  フェルール、
５  ハウジング、
６  光ファイバコード、
７  把持部、
８  変色部材、
８’  色が変化した変色部材
【図１】
2020067568.tif 000003
【図２】
2020067568.tif 000004
【図３】
2020067568.tif 000005
【図４】
2020067568.tif 000006